(57)【要約】【課題】従来の扁平型二次電池は、電極部よりも連結部が細い形状を有する電極板を用いていたため、組立工程においても完成状態においても不測の外力が加わると、この連結部の部分から電極板が断裂してしまう。【解決手段】表面に活物質層が形成された帯形状の正極板及び負極板と、これらの間にセパレータを介在させ、双方の電極板が対向するように巻回又は折り畳むことにより複数の層を形成してなる電極群を有する扁平型二次電池であり、電極群は、電極群を構成する各層における正極板と負極板とが対向して形成してなる対向形状の面積が、電極群の平面視における平面形状の面積より小さくなるように巻回又は折り畳んでなる。これにより衝撃に強く蓄電容量も大きい二次電池とすることができる。【選択図】図１
2015173063.tif 000002
【特許請求の範囲】
【請求項１】
表面に活物質層が形成された帯形状の正極板及び負極板と、前記正極板と前記負極板との間にセパレータを介在させ、双方の電極板が対向するように巻回又は折り畳むことにより複数の層を形成してなる電極群を、金属ケースに内包した扁平型二次電池において、
前記電極群を構成する各層における前記正極板と前記負極板とが対向して形成してなる対向形状の面積が、前記電極群の平面視における平面形状の面積より小さくなるように巻回又は折り畳むことを特徴とする扁平型二次電池。
【請求項２】
前記帯形状の前記正極板又は前記負極板の端部に余剰領域を設けることを特徴とする請求項１に記載の扁平型二次電池。
【請求項３】
前記余剰領域は、前記帯形状の長辺に設けることを特徴とする請求項２に記載の扁平型二次電池。
【請求項４】
前記正極板と前記負極板とを螺旋状に折り畳むことを特徴とする請求項１に記載の扁平型二次電池。
【請求項５】
前記正極板と前記負極板とは、山折りと谷折りを繰り返して螺旋状に折り畳むことを特徴とする請求項４に記載の扁平型二次電池。
【発明の詳細な説明】
【技術分野】
【０００１】
本発明は、扁平型二次電池の特性の向上を図る発明に関する。
【背景技術】
【０００２】
二次電池は、金属箔の表面に合剤（活物質とバインダー剤との混合物）を設けてなる正極及び負極の電極板を、セパレータを介して電気的に絶縁した状態で対向させ、その間に電解液を介在させる構造を有している。
【０００３】
電極板同士が対向してなる構成を電極群と呼び、この電極群を所定の形状の電池ケースに収納し、電池ケースの所定の電極端子に、正極及び負極をそれぞれ電気的に接続することで、二次電池として機能する。
【０００４】
ボタン型やコインセル型二次電池に代表される扁平型二次電池は、多くの場合、電池ケースがそれぞれの極性の電極端子を兼ねている。電池ケースは、正極の電極端子となるケースと負極の電極端子となるケースとが電気的に絶縁された状態で嵌合や接着されるなどして固定されている。
【０００５】
特に近年、高機能携帯電話や小型情報端末等の携帯電子機器の進歩に伴い、搭載される二次電池もますます小型薄型化が求められており、扁平型二次電池が採用される場合が多くなってきている。同時に、このような電子機器の多機能化によって機器の消費電力も増大する傾向にあり、より電圧が高くまた電気容量の大きい二次電池が求められている。こうした背景から、取り出し得る電流容量が大きい、しかも薄型かつ小型大容量の扁平型二次電池の提案が多くなされている。
【０００６】
扁平型二次電池は、小型で薄い形状であるため、電池ケースの限られたスペースの中で正極の電極板と負極の電極板とを対向させただけでは十分な蓄電量を確保できない。そこで、より多くの蓄電量を得るために、電池ケースよりも大きな面積の電極板を用いるものが多い。
【０００７】
そのような構成の二次電池にあっては、大きな面積の電極板を如何にして所定のサイズの電池ケースに収納するかが重要であって、それに関する技術も多くの提案がなされている。例えば、電極板を折り畳む構成である（例えば、特許文献１参照。）。
【０００８】
図１９を用いて特許文献１に開示された技術を説明する。
図１９は、特許文献１に開示された二次電池の構造を示し、図１９（ａ）は、正極又は負極の電極板を示す平面図である。電極板は、複数の円板状の電極部１００を連結部２００で連結した構成を有している。図１９に示す例では、電極部１００は５つであり連結部２００は４つである。なお、この図１９にあっては、両極性の電極板の間の電解液やセパレータなどは省略している。また、図面を見やすくするために、電極部１００同士が離間しているように記載している。
【０００９】
図１９（ｂ）は、図１９（ａ）に示す正極又は負極の電極板を、電極部１００同士が対向するように折り曲げた様子を説明する外観図である。図示した例では、連結部２００が同じ場所で重ならないように互い違いに折り畳んでいる。
【００１０】
図１９（ｃ）は、一方の極性の電極板と他方の極性の電極板とを、電極部１００同士が対向するように交互に折り曲げて重ねた電極群の平面図である。
【００１１】
例えば、正極の電極板の連結部の符号を３００とし、負極の電極板の連結部の符号を４００とすると、図１９（ｃ）に示したように、正極の電極板と負極の電極板とを交互に重ねた構成では、互いの連結部が接しないように、双方の電極板を平面視で９０度ずらして重ねる。
【００１２】
特許文献１に示した従来技術は、上述のように電極板を折り畳むことで、より大きな電極板を所定の電池ケースに納めることができる。
【００１３】
ところで、電極群の電極部の形状を、収納する電池ケースにおける電極群の収納部分の形状に似せて形成することも多い。例えば、電池ケースの収納部分の底面形状が円形であれば、電極群の電極部も円形またはそれに近い多角形とするのである。このようにすれば、電池ケースの収納部分に電極群を納めたときにデッドスペースが生じにくいというメリットがある。
【先行技術文献】
【特許文献】
【００１４】
【特許文献１】特開昭５３−１４９６３０号公報（第２頁、第１〜３図）
【発明の概要】
【発明が解決しようとする課題】
【００１５】
特許文献１に示された二次電池は、電極板を折り畳むことで蓄電量を増やすことができるが、電池として壊れやすいという欠点がある。
すなわち、図１９（ａ）に示すように、円板状の電極部よりも連結部が細い形状なので、組立工程においても完成状態においても不測の外力が加わると、この連結部の部分から電極板が断裂してしまうことが分かった。
【００１６】
すでに説明したように、二次電池は携帯電子機器に搭載されることが多いため、電子機器の落下や使用中に他の物体と衝突することは避けられない。これらにより生じる衝撃は外力となり、連結部の破断の原因となるのである。
【００１７】
さらに、連結部を設けたために正極及び負極の電極板は、図１９（ａ）に示したように平面視で円形と矩形とを組み合わせた異形になるから、正極と負極との対向面積で蓄電量が決まる二次電池にあっては、図１９（ｃ）に示すように平面的に突出した連結部３００、４００があると、電池ケースに収納されたときに円板状の電極部をその分だけ小さくしなければならず、高容量化に対する足かせになってしまうこともある。
【００１８】
さらにまた、異形の電極板は、その製造において、コストアップしてしまうことがある。
図１９（ｄ）は、大きな金属箔に活物質を形成した平板５００から、図１９（ａ）に示す所定の形状の電極を裁断して切り出す前の状態を模式的に示した平面図である。この図は、２つの電極板を平面的にずらして配置する様子を示しており、一般に電極板はこのように平板５００より切り出される。
【００１９】
図１９（ｄ）に示したように、２つの電極板をずらして配置しても、電極板が異形であるとデッドスペース６００がより大きくなってしまう。
このデッドスペース６００は電極板を切り出した後には不要になるものであるから、平板５００から無駄になる部分が多ければ、製造コストを上げてしまうのである。
【００２０】
本発明の目的は、上記課題を解決するためにある。すなわち、組立工程においても完成
状態においても電極断裂が無く、正極側の電極板と負極側の電極板との対向領域の割合を向上し、かつ材料の無駄を減じた扁平型二次電池を提供することである。
【課題を解決するための手段】
【００２１】
上記課題を解決するため本発明の扁平型二次電池は下記記載の構成を採用する。
【００２２】
本発明の扁平型二次電池は、表面に活物質層が形成された帯形状の正極板及び負極板と、正極板と負極板との間にセパレータを介在させ、双方の電極が対向するように巻回又は折り畳むことにより複数の層を形成してなる電極群を、電池ケースに内包した扁平型二次電池において、電極群を構成する各層における正極板と負極板とが対向して形成してなる対向形状の面積が、電極群の平面視における平面形状の面積より小さくなるように巻回又は折り畳むことを特徴とする。
【００２３】
これにより、帯形状の正極板及び同形状の負極板は、細い連結部分を設けることなく電極群を構成するので、組立工程においても完成状態においても電極断裂の課題が無い強固な構造を形成することができる。また、従来技術のように平面視で突出した部分がないから、電池ケースの電極群の収納スペースに対して可能な限り電極群を大きくすることができる。
【００２４】
また、帯形状の正極板又は負極板の端部に余剰領域を設けることが望ましい。
【００２５】
これにより、巻回又は折り畳みするときの位置を決める目標にできるから電極群を作成しやすくなる。また、余剰領域も電極板の一部としてとして使用することもできる。
【００２６】
さらに、余剰領域は帯形状の長辺に設けることが望ましい。
【００２７】
これにより、帯形状の正極板と帯形状の負極板を巻回又は折り畳みするとき、余剰領域も電極板の一部として使用しやすくなるから、正極板と帯形状の負極板との間の対向領域が拡大し、二次電池としての特性が向上する。
【００２８】
また、正極板と負極板とを螺旋状に折り畳むようにしてもよい。
【００２９】
このような構成にすることにより、積層する層ごとに折り曲げ部分が少しずつずれるようになり、折り曲げ部分のすべてが垂直方向に重ならなくなり、折り畳み方向に薄い電極群を形成できる。
【００３０】
また、正極板と負極板とは、山折りと谷折りを繰り返して螺旋状に折り畳むようにしてもよい。
【００３１】
このような構成にすれば、折り畳みやすくなり、電極群を形成しやすくなる。
【発明の効果】
【００３２】
本発明によれば、扁平型二次電池において電極構造上の脆弱な部分を無くしたので電極断裂の課題が減少すると共に、より大きな電極群を構成できる。また、帯形状の正極板と帯形状の負極板とに余剰領域を設けることで、双方の電極板の対向面積をより大きくすることができる。
【００３３】
また、電極群の各層を小さい面積にして巻回又は折り畳みをし、最終形状では、電極群の平面視における平面形状が大きな面積で形成されるので、積層する層ごとの折り曲げ部分が、垂直方向で重なりにくくなり、折り畳み方向に薄い電極群を形成することができる
。特に螺旋状に折り畳む場合はそれが顕著である。
【図面の簡単な説明】
【００３４】
【図１】第１実施形態における扁平型二次電池の電極群を説明する平面図である。
【図２】扁平型二次電池の構成を示す外観図である。
【図３】第１実施形態における扁平型二次電池の電極板を説明する平面図である。
【図４】第１実施形態における扁平型二次電池の電極群を構成する電極板を巻回する様子を説明する平面図である。
【図５】第１実施形態における扁平型二次電池の電極群を構成する電極板を巻回する様子及び電極群の完成状態を説明する平面図である。
【図６】第２実施形態における扁平型二次電池の電極群を構成する電極板の構造を説明する平面図である。
【図７】第２実施形態における扁平型二次電池の電極群を構成する電極板を折り畳む様子を説明する平面図である。
【図８】第２実施形態における扁平型二次電池の電極群を構成する電極板を折り畳む様子を説明する平面図である。
【図９】第２実施形態における扁平型二次電池の電極群を構成する電極板を折り畳む様子及び電極群の完成状態を説明する平面図である。
【図１０】本発明による電極板を製造する際の様子を説明する平面図である。
【図１１】第３実施形態における扁平型二次電池の電極群を説明する平面図である。
【図１２】第３実施形態における扁平型二次電池の電極群を構成する電極板を説明する平面図及び斜景図である。
【図１３】第３実施形態における扁平型二次電池の電極群を構成する電極板を折り畳む様子を説明する平面図である。
【図１４】第３実施形態における扁平型二次電池の電極群を構成する電極板を折り畳む様子を説明する平面図である。
【図１５】第３実施形態における扁平型二次電池の電極群を構成する電極板を折り畳む様子を説明する平面図である。
【図１６】第３実施形態における扁平型二次電池の電極群を構成する電極板を折り畳む様子を説明する平面図である。
【図１７】第３実施形態における扁平型二次電池の電極群の完成状態を説明する平面図である。
【図１８】第３実施形態における扁平型二次電池のその他の例の電極群の構成する電極板を折り畳む様子及び電極群の完成状態を説明する平面図である。
【図１９】特許文献１に示した従来技術を説明する平面図および外観図である。
【発明を実施するための形態】
【００３５】
本発明の扁平型二次電池は、帯形状の正極板と負極板とを巻回又は折り畳んで、正極板と負極板が幾層にも重なってなる電極群を有している。
その電極群を構成する各層における正極板と負極板とが対向して形成してなる形状を対向形状と称することにする。この対向形状は、所定の面積である多角形形状である。
また、電極群の平面視における形状、すなわち電極群の平面的な面形状を平面形状と称することにする。この平面形状も所定の面積である多角形形状である。
【００３６】
本発明の扁平型二次電池は、帯形状の正極板と負極板とを巻回又は折り畳んで電極群を構成するとき、その平面形状の面積より対向形状の面積が小さくなるようにするという点が特徴である。
【００３７】
従来知られている二次電池にあっては、平面視における電極群の形状（平面形状）は、電池ケースにおける電極群の収納部分の形状に似せて形成する。例えば、収納部分が円形
であれば電極群の電極部も円形や、円形に近い多角形（例えば、六角形や八角形）である。しかし、本発明の扁平型二次電池は、巻回又は折り畳み開始時の正極板と負極板との対向形状は、完成した電極群の平面形状とは異なっているのである。
【００３８】
本発明の扁平型二次電池は、電極板が円形と矩形とを組み合わせたような異形ではないから、不測の外力が加わっても電極板が破損することはないのである。
【００３９】
以下、本発明の扁平型二次電池の実施形態を説明する。実施形態として、特に限定するものではないが、一例として次のような構成を用いるものとして説明する。
【００４０】
正極側の電極板は、正極集電体にアルミニウム箔を用いる。例えばその厚みは、２０μｍである。
その表面に設ける正極合剤は、ニッケル酸リチウム（ＬｉＮｉＯ2）、マンガン酸リチウム（ＬｉＭｎＯ2）、コバルト酸リチウム（ＬｉＣｏＯ2）等の正極活物質と、アセチレンブラック等の導電剤及びポリフッ化ビニリデン等のバインダー剤との混合物で構成する。以下、正極側の電極板を、単に正極板と称する。
【００４１】
負極側の電極板は、負極集電体に銅箔を用いる。例えばその厚みは、２０μｍである。
その表面に設ける負極合剤は、グラファイト等の負極活物質とポリフッ化ビニリデン等のバインダー剤との混合物で構成する。以下、負極側の電極板を、単に負極板と称する。
【００４２】
セパレータは、微多孔性ポリエチレンフィルムを用いる。正極板と負極板とを電気的に隔離し、且つ微細孔を通ってイオンが移動する材質から構成する。
なお、以下の説明にあっては、説明及び図示を見やすくするために、セパレータは正極板と負極板との間に挟み込む構成ではなく、正極板を覆う例で説明するが、セパレータは図面を見やすくするために、図示しないことにする。
【００４３】
電池ケースは、正極側の電源端子となる外装ケースと封口ケースとを絶縁材料のガスケットを介して接合される構成である。それらケースは、導電性を有する材料であり、例えば、ステンレス、アルミニウム、ニッケル等の金属材料、或いはステンレスにニッケルメッキを施した材料等から構成する。
【００４４】
電解液は、電池ケースに電極群と共に封入されるものであるが、図示は省略する。その材質は、例えば、六フッ化リン酸リチウム（ＬｉＰＦ6）、過塩素酸リチウム（ＬｉＣｌＯ4） 、ホウフッ化リチウム（ＬｉＢＦ4）のようなリチウム塩とエチレンカーボネート（ＥＣ）、プロピレンカーボネート（ＰＣ）のような溶媒を用いることができる。
【００４５】
以下、第１実施形態は、図１〜図５を用いて、正極板と負極板とを巻回又は折り畳んで電極群を構成する例を説明する。
第２実施形態は、図６〜図１０を用いて、正極側の電極板と負極側の電極板とを交互に折り畳んで電極群を構成する例を説明する。
第３実施形態は、図１１〜図１８を用いて、正極側の電極板と負極側の電極板とを螺旋状に折り畳んで電極群を構成する例を説明する。
【００４６】
説明にあっては、その説明及び図は一実施形態であって、これに限定されるものではない。また、図面は発明を説明しやすくするための模式図であり、図面における寸法は実際の形状を反映したものではない。また図面を見やすくするため、一部誇張して記載している場合がある。
なお、説明に関係のない一部の要素は省略し、同一要素には同一番号を付与して重複する説明は省略するものとする。
【００４７】
［第１実施形態の説明：図１〜図５］
以下図面により扁平型二次電池の第１実施形態について説明する。
図１〜図５は、第１実施形態における扁平型二次電池を示し、図１は電極群の平面図で、図２は外観図で、図３は電極群を構成する電極板の構造及び組立の様子を示す平面図で、図４〜図５（ａ）は電極板の組立の様子工程を示し、図５（ｂ）は電極群の完成状態を示す平面図である。
【００４８】
［扁平型二次電池の構造の説明：図１、図２］
まず、図１の平面図を用いて扁平型二次電池１の電極群の外形を説明する。
図１は、正極側の電極板及び負極側の電極板を巻回又は折り畳みによって得られた電極群４０の平面図である。巻回又は折り畳みの方法については、後に詳述する。図１に図示するように、電極群４０の平面形状４０ｂは、六角形であるのに対し、対向形状４０ａ（斜線部）は、六角形よりも面積の小さい台形となっている。
【００４９】
次に、図２を用いて扁平型二次電池１の構成を説明する。
図２に示すように、正極の電源端子を兼ねる外装ケース１０は、扁平の有底円筒形であり、その内部には電極群４０を収納する収納領域１０ａがある。収納領域１０ａは、図２に示す例では平面視で円形であるが、もちろんこれは一例であり、電極群４０の平面形状に応じた形状とするとなおよい。
【００５０】
負極の電源端子を兼ねる封口ケース３０は、円形の平板形状であり、その外径は外装ケース１０の外径よりも小さい。
【００５１】
扁平型二次電池１は、外装ケース１０の収納領域１０ａに電極群４０及び図示しない電解液を入れ、外装ケース１０の開口部１０ｂにリング形状の電気的に絶縁するためのガスケット２０を設け、これを介して封口ケース３０を固定している。この固定に関しては、例えば、カシメ等の機械的固定手法を用いることができ、そうすると電池ケース１５はより強固になる。
【００５２】
外装ケース１０および封口ケース３０には電極群４０の正極板４１と負極板４３とがそれぞれ電気的に接続されている。
【００５３】
［第１実施形態の電極群の構成の説明：図３〜図５］
次に、図３〜図５を用いて電極板を巻回して電極群を構成する様子を説明する。
電極群４０は、正極板４１と負極板４３とを巻回又は折り畳んでなるが、まず巻回して電極群４０を構成する様子を順に説明することで電極群４０の説明とする。
【００５４】
図３は、電極群４０を構成する電極板の平面図である。電極群４０は、図３（ａ）に示すように、セパレータ（不図示）で包まれた正極側の電極板である帯形状の正極板４１と、負極側の電極板である帯形状の負極板４３によって構成される。図３（ａ）は正極板４１と負極板４３とを重ねる前の状態を示し、図３（ｂ）は重ねた後の状態を示す。
【００５５】
図３（ａ）に示すように、正極板４１は、頂角αが例えば６０度の平行四辺形の帯形状である。負極板４３も同じく頂角αが６０度の、主たる形状が平行四辺形の帯形状である。この帯形状は、後述する電極板の巻回に際して無駄な領域を設けないためである。
【００５６】
負極板４３には、余剰領域４３ｆを設けている。余剰領域４３ｆは、電極板を巻回するときに巻く方向を見失わないようにすることや、曲げる方向を間違えないようにする目印効果を奏するように設けるものである。また、余剰領域４３ｆ自体を把持するなどして巻
回作業をし易くすることにも用いることができる。
【００５７】
そのため、余剰領域４３ｆは、目的に応じた形状であることが望ましい。図３に示す例では、その形状を平面視で三角形としているが、例えば、平面視で矩形の突起形状や円弧形状などであってもよい。
【００５８】
余剰領域４３ｆは、設ける場所も目的に応じるとよい。例えば、目印にしやすい場所や把持しやすい場所に設けるとよい。図３に示す例では、負極板４３の一方の長辺に設けている。このようにすれば、目印にしたり把持しやすくできて便利である。
【００５９】
なお、余剰領域４３ｆは、負極板４３を構成する金属箔などで構成することができるが、構造的に負極板４３と同一の構造とすると製造しやすくてよい。
【００６０】
そして、そのように余剰領域４３ｆを負極板４３と同一構造とすると、さらに別の効果も奏することができる。すなわち、この余剰領域４３ｆ自体を負極板４３の一部として使用することもできるようになるのである。
【００６１】
これは、正極板４１と負極板４３とを重ねた上で巻回するときに、余剰領域４３ｆと重ねられた正極板４１の一部分とが対向するからである。
【００６２】
このとき、余剰領域４３ｆの形状を、正極板４１と負極板４３とを巻回するときの対向形状（後述する台形）よりも小さい形状とすれば、その対向形状からはみ出すことがない。
【００６３】
なお、はみ出した部分は正極板４１と対向しないか、負極板４３と対向してしまうことになり、蓄電に作用しなくなる。このため、そのような余剰領域４３ｆは電池の構造としては無駄を有していることになり、面積効率が悪くなる。
【００６４】
したがって、余剰領域４３ｆを負極板４３と同一の構造とするときは、無駄がない形状にすることが望ましく、その一例としては、正極板４１と負極板４３とを重ねた上で巻回するときの対向形状を後述するように台形とするとき、余剰領域４３ｆは、その対向形状の面積を均等な三角形で分割したときの形状と同じ三角形としておけばよいのである。
【００６５】
以下の説明においては、余剰領域４３ｆの形状を平面視で上述のような三角形とし、負極板４３の一方の長辺に設ける例で説明する。
【００６６】
図３（ｂ）に示すように、余剰領域４３ｆを備えた負極板４３に、正極板４１を重ねる。このとき、正極板４１は、余剰領域４３ｆがある負極板４３の一方の端部から他方の端部に向かってずらして重ねる。双方の電極板が重なった部分が領域４０Ｓ（斜線部）であって、正極板４１と負極板４３とが図示しないセパレータを挟み対向している領域である。なお、領域４０Ｓは、平行四辺形の電極板同士が長手方向にずれて重なっているため、平面視で台形（頂点数は４である）となっている。
【００６７】
正極板４１と負極板４３とを重ねた上で巻回するとき、その巻回していく形状を台形とする。図３（ｂ）に示す領域４３ａが平面視で台形となっているのは、そのためである。
【００６８】
次に、図４（ａ）に示すように、負極板４３の上に重なった正極板４１の端部の短辺に沿って折り曲げ線Ｌ１を規定する。
【００６９】
そして、この折り曲げ線Ｌ１を谷にして、負極板４３の領域４３ａが領域４０Ｓと重な
るように、方向Ｆ１の方に曲げる。これにより、電極群４０の層が形成される。
このように、折り曲げ線Ｌ１を谷にして折り曲げると、図４（ｂ）に図示した形状となる。図４（ｂ）に図示したように、領域４３ａと領域４０Ｓとが重なる部分を領域４０ｔ（斜線部）とする。この領域４０ｔは、平面視で頂点数が３の三角形となる。
【００７０】
次に、図４（ｂ）に示すように、領域４０Ｓの長辺と余剰領域４３ｆの先端部分とが接する箇所ａから領域４０Ｓの他方の長辺に向かって頂角αが６０度の折り曲げ線Ｌ２を規定する。
【００７１】
そして、この折り曲げ線Ｌ２を谷にして、領域４０Ｓを負極板４３及び余剰領域４３ｆに重ねるように、方向Ｆ２の方に曲げる。
このように、折り曲げ線Ｌ２を谷にして折り曲げると、図４（ｃ）に図示した形状となる。図４（ｃ）に図示するように、負極板４３と領域４０Ｓとが重なる部分が、電極群４０の次の層となり、平面視で対向形状が頂点数４の台形（斜線部）となる。
【００７２】
次に、図４（ｃ）に示すように、領域４０Ｓの長辺と負極板４３の角部とが接する箇所ｂから領域４０Ｓの他方の長辺に向かって頂角αが６０度の折り曲げ線Ｌ３を規定する。
【００７３】
そして、この折り曲げ線Ｌ３を山にして、領域４０Ｓを負極板４３の平面視で見えている側とは反対側（裏側）に重ねるように、方向Ｆ３の方に曲げる。このように、折り曲げ線Ｌ３を山にして折り曲げると、図５（ａ）に図示した形状となる。図５（ａ）に図示するように、負極板４３と領域４０Ｓとが重なる部分が、電極群４０の次の層となり、平面視で対向形状が頂点数４の台形（斜線部）となる。この台形（斜線部）はちょうど平面視で見えている側とは反対側（裏側）に配置されている。
【００７４】
次に、図５（ａ）に示すように、図４（ａ）で規定した折り曲げ線Ｌ１を谷にして、正極板４１を負極板４３に重ねるように、方向Ｆ４の方向に曲げる。このように、折り曲げ線Ｌ１を谷にして折り曲げると、図５（ｂ）に図示した形状となる。図５（ｂ）に図示したように、正極板４１と負極板４３とが重なる対向形状も、平面視で頂点数が４の台形（斜線部）となる。
【００７５】
このような手法を用いることによって、図５（ｂ）に示すような正極板４１と負極板４３とが巻回された電極群４０が構成される。
【００７６】
電極群４０は、図１に示すように平面視で平面形状４０ｂが、頂点数６の六角形であり、最上層を形成する対向形状４０ａが、平面形状４０ｂより小さい面積である頂点数４の台形となっている。なお、以上説明したように、最上層の対向形状４０ａだけでなく、各層における対向形状の面積は、平面形状４０ｂより小さい面積となっている。
【００７７】
以上説明した手法は、正極板４１と負極板４３とを巻回して電極群４０を形成する例であるが、正極板４１と負極板４３とを折り畳んでもよい。例えば、すでに説明した折り曲げ線Ｌ１〜Ｌ３で折り曲げるとき、層ごとに山折りと谷折りとを交互にしてもよい。
【００７８】
どのように折り畳んでも、図３を用いて説明したように、双方の電極板は重なっているので、極性が同一の電極板同士が対向してしまうことはないが、用いる電極板の形状に鑑みて、巻回又は折り畳みを選択すればよい。
【００７９】
以下図面により扁平型二次電池の第２実施形態について説明する。
図６〜図１０は電極群を構成する電極板の構造及び組立の様子を示す平面図である。
【００８０】
［第２実施形態の電極群の構成の説明：図６〜図１０］
第２実施形態は、すでに説明した第１実施形態と同様に、図示しないセパレータで包まれた帯形状の正極側の電極板（以下、正極板５１と称する）と、負極側の電極板５３（以下、負極板５３と称する）とを有している。
【００８１】
第２実施形態の電極群は、正極板と負極板との一部を重ねて折り畳んでなる。双方の電極板が重なり層を形成する対向形状は、完成した電極群の平面視における平面形状よりも面積の小さい形状となるように重ねる。そして双方の電極板は、平面的に所定の角度ずらして交互に折り畳む。説明する例では６０度である。以下、その様子を順に説明する。
【００８２】
図６は、電極群５０を構成する電極板の平面図である。図６（ａ）は正極板５１と負極板５３とを重ねる前の状態を示し、図６（ｂ）は双方を所定の角度ずらして重ね始める状態を示すものである。
図６（ａ）に示すように、頂角αが例えば６０度の帯形状の正極板５１は、図示しないセパレータに包まれている。負極板５３も同じく頂角αが６０度の帯形状である。
【００８３】
既に説明した第１実施形態と同様に、電極板には余剰領域を設けている。説明する例では、正極板５１及び負極板５３に余剰領域５１ｆ及び余剰領域５３ｆをそれぞれ設けている。
【００８４】
余剰領域５１ｆは正極板５１と同一の構造としており、余剰領域５３ｆも負極板５３と同一の構造としている。すなわち、すでに説明した通り余剰領域を電極板の一部として運用するためである。そしてこの例では、その形状を平面視で三角形としている。
【００８５】
正極板５１には余剰領域５１ｆをそれぞれの長辺側から平面的に突出するように２つずつ、計４つ設けている。負極板５３も同様に、それぞれの長辺側から平面的に突出するように２つずつ、計４つ設けている。
【００８６】
余剰領域５１ｆを備えた正極板５１に、余剰領域５３ｆを備えた負極板５３を重ねる。図６（ｂ）は双方の電極板を重ね始める様子を示すものであって、重ね終わった状態が図７（ａ）となる。
【００８７】
負極板５３は、図７（ａ）に示すように、正極板５１の端部から図面右方向に、三角形の領域５１ａだけずらして重ねる。また、正極板５１正極板５１と負極板５３とは所定の角度ずらして重ねており、この例では６０度である（図中、その角度βで示す。）。
【００８８】
図７（ａ）に図示するように、正極板５１と負極板５３とが対向する対向形状は、平面視で頂点数が４となる台形（斜線部）となる。この実施形態では、電極板に三角形の余剰領域を設けており、図７（ａ）に示すように負極板５３を正極板５１の余剰領域５１ｆの上部に重ねているため、その対向形状は台形（斜線部）となっている。
【００８９】
図７（ａ）に示すように、双方の電極板は、長辺と短辺とを合わせるように重ねている。すなわち、正極板５１の長辺と負極板５３の短辺とが合うように重ねている。双方の電極が重なる部分の正極板５１の長辺と負極板５３の長辺との交差部に、負極板５３の長辺に沿って折り曲げ線Ｌ４を規定する。
【００９０】
そして、この折り曲げ線Ｌ４を谷にして、正極板５１が負極板５３の一部に重なるように、方向Ｆ５の方に折り畳む。これにより、電極群５０の層が形成される。
このように、折り曲げ線Ｌ４を谷にして折り曲げると、図７（ｂ）に図示した形状となる。図７（ｂ）に図示したように、正極板５１と負極板５３とが重なる部分が、平面視で
対向形状が頂点数４の台形（斜線部）となる。
【００９１】
次に、図７（ｂ）に示すように、折り畳んだ正極板５１と負極板５３とが重なる部分に、負極板５３の上部の正極板５１の長辺に沿って折り曲げ線Ｌ５を規定する。
そして、この折り曲げ線Ｌ５を谷にして、負極板５３を正極板５１に重ねるように、方向Ｆ６の方に折り畳む。
【００９２】
つまり、正極板５１と負極板５３とを、角度β（この例では６０度）ずらして九十九折りするのである。
【００９３】
このように、折り曲げ線Ｌ５を谷にして折り曲げると、図８（ａ）に図示した形状となる。図８（ａ）に図示するように、正極板５１と負極板５３とが重なる部分は、電極群５０の次の層となり、平面視で対向形状が２つの平行四辺形を並べたような六角形の形状（斜線部）となる。以後、この六角形の形状を矢羽根形状と呼ぶことにする。
【００９４】
次に、図８（ａ）に示すように、双方の電極が重なる部分の正極板５１の長辺と負極板５３の長辺との交差部に、負極板５３の長辺に沿って折り曲げ線Ｌ６を規定する。
【００９５】
そして、この折り曲げ線Ｌ６を谷にして、正極板５１を負極板５３に重ねるように、方向Ｆ７の方に折り畳む。
このように、折り曲げ線Ｌ６を谷にして折り曲げると、図８（ｂ）に図示した形状となる。図８（ｂ）に図示するように、正極板５１と負極板５３とが重なる部分は、電極群５０の次の層となり、平面視で対向形状が矢羽根形状（斜線部）となる。
【００９６】
次に、図８（ｂ）に示すように、双方の電極が重なる部分の正極板５１の長辺と負極板５３の長辺との交差部に、正極板５１の長辺に沿って折り曲げ線Ｌ７を規定する。
【００９７】
そして、この折り曲げ線Ｌ７を谷にして、負極板５３を正極板５１に重ねるように、方向Ｆ８の方に折り畳む。
このように、折り曲げ線Ｌ７を谷にして折り曲げると、図９（ａ）に図示した形状となる。図９（ａ）に図示するように、正極板５１と負極板５３とが重なる部分は、電極群５０の次の層となり、平面視で対向形状が矢羽根形状（斜線部）となる。
【００９８】
次に、図９（ａ）に示すように、双方の電極が重なる部分の正極板５１の長辺と負極板５３の長辺との交差部に、負極板５３の長辺に沿って折り曲げ線Ｌ８を規定する。
【００９９】
そして、この折り曲げ線Ｌ８を谷にして、正極板５１を負極板５３に重ねるように、方向Ｆ９の方に折り畳む。
このように、折り曲げ線Ｌ８を谷にして折り曲げると、図９（ｂ）に図示した形状となる。図９（ｂ）に図示するように、正極板５１と負極板５３とが重なる部分は、電極群５０の次の層となり、平面視で対向形状が矢羽根形状（斜線部）となる。
【０１００】
次に、図９（ｂ）に示すように、双方の電極が重なる部分の正極板５１の長辺と負極板５３の長辺との交差部に、すでに重ねた正極板５１及び負極板５３の外形辺に沿って折り曲げ線Ｌ９を規定する。
【０１０１】
そして、この折り曲げ線Ｌ９を谷にして、負極板５３を正極板５１に重ねるように、方向Ｆ１０の方に折り畳むことで、図９（ｃ）に図示した形状となる。図９（ｃ）に図示するように、正極板５１と負極板５３とが重なる部分は、電極群５０の最上層となり、平面視で対向形状が矢羽根形状（斜線部）となる。
【０１０２】
そして、平面視で平面形状５０ｂが、頂点数６の六角形であり、最上層を形成する対向形状５０ａ（斜線部）を備えた電極群５０が完成する。ここで、対向形状５０ａ（斜線部）の面積は、平面形状５０ｂの面積より小さくなっている。
また、以上説明したように、最上層の対向形状５０ａ（斜線部）だけでなく、各層における対向形状の面積も、平面形状５０ｂより小さい面積となっている。
【０１０３】
ところで、すでに説明したように、異形の電極板は、その製造において、コストアップしてしまうことがある。すなわち、平板から電極板を裁断する際にデッドスペースが生じてしまうからである。しかしながら、本発明の電極板は帯形状であるから、デッドスペースを生じにくい。
【０１０４】
図１０（ａ）は、第１実施形態の正極板４１を平板５００に配置した例である。図示したように、デッドスペース６００は極めて小さく、無駄が少ない。
また、図１０（ｂ）は、第１実施形態の負極板４３を平板５００に配置した例である。図示したように、電極板に余剰領域を設ける場合であっても、余剰領域部分をずらすようにして平板５００に負極板４３を配置すれば、デッドスペース６００を大幅に減らすことができる。
【０１０５】
［第３実施形態の説明：図１１〜図１８］
以下、図１１〜図１８を用いて、扁平型二次電池の第３実施形態について説明する。
図１１は扁平型二次電池１の電極群の平面図であり、図１２は電極群を構成する電極板の構造である。図１３〜図１７は電極群を構成する電極板の構造及び、その組立の様子を説明する平面図である。図１８は、電極群の別の組み立ての様子を説明する平面図である。
【０１０６】
［第３実施形態の電極群の構成の説明：図１１、図１２］
まず、図１１及び図１２の図を用いて扁平型二次電池１の電極群の外形及び電極板を説明する。
図１１に示す扁平型二次電池１の電極群６０は、図１２（ａ）に示すように、正極側の電極板である帯板状の正極板６１と、負極側の電極板である帯形状の負極板６３とを用意する。図示しないセパレータを正極板６１と負極板６３との間に挟み込むか、または図示しないセパレータで例えば正極板６１を包み、これら２つの電極板を重ねることで、図１２（ｂ）に示す電極構造体６０Ｇとする。
【０１０７】
第３実施形態の電極群６０は、この電極構造体６０Ｇを、所定の面積を有する平面視で三角形の形状（対向形状６０ａ）となるようにして山折りと谷折りとを繰り返して螺旋状に折り畳む。そして、平面視で六角形の形状（平面形状６０ｂ）の電極群６０を得る。以下その様子を説明する。なお、図１１には、図面を見やすくするために対向形状６０ａを斜線部で表している。
【０１０８】
このように、第３実施形態の特徴は、単に山折りと谷折りとを繰り返して折り畳むのではなく、角度を付けて螺旋状に折り畳むという点にある。
【０１０９】
［電極構造体に付与する仮想線の説明：図１３］
まず、図１３を用いて電極構造体６０Ｇを山折りと谷折りとを行うための折り曲げ位置を決める仮想線の規定について説明する。
図１３は電極構造体６０Ｇの平面図であり、正極板６１及び負極板６３を重ねた電極構造体６０Ｇは、平面視で四角形の帯形状となっており、その四隅の角度が９０度の長方形の形状を有している。図１３に示す例では、図面正面が正極板６１となっている。
【０１１０】
図１３に示すように、電極構造体６０Ｇには、例えば９つの仮想線を規定する。電極構造体６０Ｇを山折りするための山折り線は、Ｙ１、Ｙ２、Ｙ３、Ｙ４、Ｙ５である。同じく谷折りするための谷折り線は、Ｔ１、Ｔ２、Ｔ３、Ｔ４である。
【０１１１】
電極構造体６０Ｇの一方の長辺６０Ｌの角部、つまり短辺６０Ｓと長辺６０Ｌの接する隅である箇所ｃ１から電極構造体６０Ｇの他方の長辺６０Ｒまで、山折り線Ｙ１を規定する。この山折り線Ｙ１の角度は、電極構造体６０Ｇの短辺６０Ｓに対して、例えば３０度であり、頂角γで示している。
【０１１２】
次に、山折り線Ｙ１と電極構造体６０Ｇの他方の長辺６０Ｒとの交点の箇所ｄ１から電極構造体６０Ｇの対向する一方の長辺６０Ｌまで、谷折り線Ｔ１を規定する。この谷折り線Ｔ１の角度は、電極構造体６０Ｇの長辺（６０Ｌ又は６０Ｒ）に対して、例えば９０度であり、頂角δで示している。
【０１１３】
このように、電極構造体６０Ｇに山折り線Ｙ１と谷折り線Ｔ１を規定した。以後、同様な手法により、山折り線Ｙ５、谷折り線Ｔ４まで順次規定する様子を説明する。
【０１１４】
すなわち、電極構造体６０Ｇの線の一方の長辺６０Ｌと谷折り線Ｔ１との交点の箇所ｃ２から電極構造体６０Ｇの他方の長辺６０Ｒまで、山折り線Ｙ２を規定する。この山折り線Ｙ２の角度も、電極構造体６０Ｇの短辺６０Ｓに対して、例えば３０度である（頂角γである）。
【０１１５】
次に、山折り線Ｙ２と電極構造体６０Ｇの他方の長辺６０Ｒとの交点の箇所ｄ２から電極構造体６０Ｇの対向する一方の長辺６０Ｌまで、谷折り線Ｔ２を規定する。この谷折り線Ｔ２の角度も、電極構造体６０Ｇの長辺（６０Ｌ又は６０Ｒ）に対して、例えば９０度である（頂角δである）。
【０１１６】
次に、電極構造体６０Ｇの線の一方の長辺６０Ｌと谷折り線Ｔ２との交点の箇所ｃ３から電極構造体６０Ｇの他方の長辺６０Ｒまで、山折り線Ｙ３を規定する。この山折り線Ｙ３の角度も、電極構造体６０Ｇの短辺６０Ｓに対して、例えば３０度である（頂角γである）。
【０１１７】
次に、山折り線Ｙ３と電極構造体６０Ｇの他方の長辺６０Ｒとの交点の箇所ｄ３から電極構造体６０Ｇの対向する一方の長辺６０Ｌまで、谷折り線Ｔ３を規定する。この谷折り線Ｔ３の角度も、電極構造体６０Ｇの長辺（６０Ｌ又は６０Ｒ）に対して、例えば９０度である（頂角δである）。
【０１１８】
次に、電極構造体６０Ｇの線の一方の長辺６０Ｌと谷折り線Ｔ３との交点の箇所ｃ４から電極構造体６０Ｇの他方の長辺６０Ｒまで、山折り線Ｙ４を規定する。この山折り線Ｙ４の角度も、電極構造体６０Ｇの短辺６０Ｓに対して、例えば３０度である（頂角γである）。
【０１１９】
次に、山折り線Ｙ４と電極構造体６０Ｇの他方の長辺６０Ｒとの交点の箇所ｄ４から電極構造体６０Ｇの対向する一方の長辺６０Ｌまで、谷折り線Ｔ４を規定する。この谷折り線Ｔ４の角度も、電極構造体６０Ｇの長辺（６０Ｌ又は６０Ｒ）に対して、例えば９０度である（頂角δである）。
【０１２０】
最後に、電極構造体６０Ｇの線の一方の長辺６０Ｌと谷折り線Ｔ４との交点の箇所ｃ５から電極構造体６０Ｇの他方の長辺６０Ｒの角部、つまり長辺６０Ｒの隅である箇所ｄ５
まで、山折り線Ｙ５を規定する。この山折り線Ｙ５の角度も、電極構造体６０Ｇの短辺６０Ｓに対して、例えば３０度である（頂角γである）。
【０１２１】
このようにすることで、電極構造体６０に山折り線Ｙ１〜Ｙ５、谷折り線Ｔ１〜Ｔ４が規定される。
【０１２２】
［螺旋折りの説明１：図１４〜図１６］
次に、図１４〜図１６を用いて、規定した山折り線と谷折り線に則り、電極構造体６０Ｇを螺旋状に折り畳んで、電極群６０を構成する様子を説明する。図１４〜図１６は電極構造体６０Ｇを折り畳む様子を説明する平面図である。
【０１２３】
まず、図１４（ａ）に示すように、山折り線Ｙ１を山にして、山折り線Ｙ１よりも電極構造体６０Ｇの端部側の三角形の対向領域である領域６１ｐ（斜線部）を、方向Ｆ１１（図面視で見えている電極構造体６０Ｇの裏側）の方に曲げる。
【０１２４】
このように、山折り線Ｙ１を山にして折り曲げると、図１４（ｂ）に図示した形状となる。つまり、電極構造体６０Ｇの裏側に三角形の領域６１ｐが重なるようになる。これにより、電極群６０の層が形成される。
【０１２５】
次に、図１４（ｂ）に示すように、谷折り線Ｔ１を谷にして、谷折り線Ｔ１よりも電極構造体６０Ｇの端部側の三角形の対向領域である領域６１ｑ（斜線部）を、方向Ｆ１２（図面視で見えている電極構造体６０Ｇの手前側）の方に曲げる。
【０１２６】
このように、谷折り線Ｔ１を谷にして折り曲げると、図１５（ａ）に図示した形状となる。つまり、電極構造体６０Ｇの表側に三角形の領域６１ｑが折られる。これにより、電極群６０の次の層が形成される。
【０１２７】
次に、図１５（ａ）に示すように、山折り線Ｙ２を山にして、山折り線Ｙ２よりも電極構造体６０Ｇの端部側の三角形の対向領域である領域６１ｒ（斜線部）を、方向Ｆ１３（図面視で見えている電極構造体６０Ｇの裏側）の方に曲げる。
なお、領域６１ｒは図面の一部のみしか図面表面に現れていないが、山折りする場所を説明するために平面的に三角形の斜線部を示している。
【０１２８】
このように、山折り線Ｙ２を山にして折り曲げると、図１５（ｂ）に図示した形状となる。つまり、電極構造体６０Ｇの裏側に三角形の領域６１ｒが重なるようになる。これにより、電極群６０の次の層が形成される。
【０１２９】
次に、図１５（ｂ）に示すように、谷折り線Ｔ２を谷にして、谷折り線Ｔ２よりも電極構造体６０Ｇの端部側の三角形の対向領域である領域６１ｓ（斜線部）を、方向Ｆ１４（図面視で見えている電極構造体６０Ｇの手前側）の方に曲げる。
【０１３０】
このように、谷折り線Ｔ２を谷にして折り曲げると、図１５（ｃ）に図示した形状となる。つまり、電極構造体６０Ｇの表側に三角形の領域６１ｓが折られる。これにより、電極群６０の次の層が形成される。
【０１３１】
次に、図１５（ｃ）に示すように、山折り線Ｙ３を山にして、山折り線Ｙ３よりも電極構造体６０Ｇの端部側の三角形の対向領域である領域６１ｔ（斜線部）を、方向Ｆ１５（図面視で見えている電極構造体６０Ｇの裏側）の方に曲げる。
なお、領域６１ｔは図面の一部のみしか図面表面に現れていないが、山折りする場所を説明するために平面的に三角形の斜線部を示している。
【０１３２】
このように、山折り線Ｙ３を山にして折り曲げると、図１５（ｄ）に図示した形状となる。つまり、電極構造体６０Ｇの裏側に三角形の領域６１ｔが折られる。これにより、電極群６０の次の層が形成される。
【０１３３】
次に、図１５（ｄ）に示すように、谷折り線Ｔ３を谷にして、谷折り線Ｔ３よりも電極構造体６０Ｇの端部側の三角形の対向領域である領域６１ｕ（斜線部）を、方向Ｆ１６（図面視で見えている電極構造体６０Ｇの手前側）の方に曲げる。
【０１３４】
このように、谷折り線Ｔ３を谷にして折り曲げると、図１６（ａ）に図示した形状となる。つまり、電極構造体６０Ｇの表側に三角形の領域６１ｕが折られる。これにより、電極群６０の次の層が形成される。
【０１３５】
次に、図１６（ａ）に示すように、山折り線Ｙ４を山にして、山折り線Ｙ４よりも電極構造体６０Ｇの端部側の三角形の対向領域である領域６１ｖ（斜線部）を、方向Ｆ１７（図面視で見えている電極構造体６０Ｇの裏側）の方に曲げる。
なお、領域６１ｖは図面の一部のみしか図面表面に現れていないが、山折りする場所を説明するために平面的に三角形の斜線部を示している。
【０１３６】
このように、山折り線Ｙ４を山にして折り曲げると、図１６（ｂ）に図示した形状となる。つまり、電極構造体６０Ｇの裏側に三角形の領域６１ｖが折られる。これにより、電極群６０の次の層が形成される。
【０１３７】
次に、図１６（ｂ）に示すように、谷折り線Ｔ４を谷にして、谷折り線Ｔ４よりも電極構造体６０Ｇの端部側の三角形の対向領域である領域６１ｗ（斜線部）を、方向Ｆ１８（図面視で見えている電極構造体６０Ｇの手前側）の方に曲げる。
【０１３８】
このように、谷折り線Ｔ４を谷にして折り曲げると、図１６（ｃ）に図示した形状となる。つまり、電極構造体６０Ｇの表側に三角形の領域６１ｗが折られる。これにより、電極群６０の次の層が形成される。
【０１３９】
次に、図１６（ｃ）に示すように、山折り線Ｙ５を山にして、山折り線Ｙ５よりも電極構造体６０Ｇの端部側の三角形の対向領域である領域６１ｘ（斜線部）を、方向Ｆ１９（図面視で見えている電極構造体６０Ｇの裏側）の方に曲げる。
なお、領域６１ｘは図面表面に現れていないが、山折りする場所を説明するために平面的に三角形の斜線部を示している。
【０１４０】
このように、山折り線Ｙ５を山にして折り曲げると、図１６（ｄ）に図示した形状となる。つまり、電極構造体６０Ｇの裏側に三角形の領域６１ｘが折られる。これにより、電極群６０の次の層が形成されると共に、電極群６０が螺旋状に折り畳み終る（折り畳み終った電極構造体６０Ｇは図１１に示す電極群６０と同じ形状である。）。
【０１４１】
このように、第３実施形態の扁平型二次電池は、各層における対向形状（三角形の領域６１ｐ〜６１ｘ）の面積が、電極群６０の平面形状よりも小さい面積となることは、すでに説明した第１及び第２実施形態と同様である。それに加え、螺旋状に折り畳むことで、積層する層ごとに折り曲げ部分が少しずつずれるようになる。このため、電極群として形成した際に、電極構造体の折り曲げ部分のすべてが垂直方向に重ならなくなり、折り畳み方向に薄い電極群を形成できる。
【０１４２】
また、螺旋状に折り畳むときに、山折りと谷折りとを繰り返して折り畳むので、電極構
造体を折り畳みやすい。
【０１４３】
［変形例の説明：図１３、図１７］
以上説明した第３実施形態は、平面視で長方形となる電極構造体６０Ｇを、図１３に示すように、その短辺から頂角γを３０度として山折り線を規定して折り畳んだ。この頂角γは３０度に限定するものではなく、変更が可能である。
【０１４４】
頂角γは、例えば２２．５度とすることもできる。そうすると、折り畳み終わった電極群の平面形状は、図１７に示す電極群６５のようになる。この電極群６５の平面形状は、八角形（平面形状６５ｂ）である。螺旋状に折り畳むときの対向形状６５ａは三角形であることは同様である。なお、図１７には、図面を見やすくするために対向形状６５ａを斜線部で表している。
【０１４５】
このように、頂角γの値を小さくすることにより、電極群６５の平面形状をより頂点数の多い多角形にすることができるのである。
頂角γの数値は自由に選択可能である。つまり電極群の平面形状の形状も自由に変えることができる。電極群をどのような形状にするかは、電池ケースの形状に鑑みて決めればよい。
【０１４６】
［螺旋折りの説明２：図１８］
次に、図１８を用いて、すでに説明した例とは異なる螺旋折りにより、電極群７０を形成する手法について説明する。
図１８は電極構造体７０Ｇを折り畳む様子を説明する平面図である。電極構造体７０Ｇは、すでに説明した電極構造体６０Ｇと同じ構成であるが、説明しやすいように異なる番号を付与している。
【０１４７】
すでに説明した例では、電極群を構成する各層における、正極板と負極板との対向形状は三角形であった。もちろんこの対向形状は三角形に限定するものではなく、例えば、四角形でもよい。図１８に示す例は、対向形状を四角形にして折り畳む例である。
【０１４８】
図１８（ａ）に示すように、電極構造体７０Ｇの一方の長辺７０Ｌの隅である箇所ｃ１から、この長辺７０Ｌに沿って所定の距離だけオフセットした箇所ｃ１´を規定する。この箇所ｃ１´から電極構造体７０Ｇの他方の長辺７０Ｒまで、山折り線Ｙ１を規定する。この山折り線Ｙ１の角度は、電極構造体６０Ｇの短辺６０Ｓに対して、例えば２２．５度であり、頂角γ´で示している。
【０１４９】
箇所ｃ１´は上述の如く電極構造体７０Ｇの隅からオフセットしているため、折り畳まれる領域は四角形（台形）となる。
【０１５０】
図１８（ａ）に示すように、山折り線Ｙ１´を山にして、山折り線Ｙ１´よりも電極構造体７０Ｇの端部側の四角形の対向領域である領域７１ｐを、方向Ｆ２０（図面視で見えている電極構造体７０Ｇの裏側）の方に曲げる。
【０１５１】
このように、山折り線Ｙ１´を山にして折り曲げると、図１８（ｂ）に図示した形状となる。つまり、電極構造体７０Ｇの裏側に四角形の領域７１ｐが重なるようになる。これにより、電極群７０の層が形成される。
【０１５２】
次に、山折り線Ｙ１´と電極構造体７０Ｇの他方の長辺６０Ｒとの交点の箇所ｄ１から、この長辺７０Ｒに沿って所定の距離だけオフセットした箇所ｄ１´を規定する。この箇所ｄ１´から電極構造体７０Ｇの対向する一方の長辺７０Ｌまで、谷折り線Ｔ１´を規定
する。この谷折り線Ｔ１´の角度は、頂角δであり、すでに説明した例と同様に９０度である。
【０１５３】
次に、図１８（ｂ）に示すように、谷折り線Ｔ１´を谷にして、谷折り線Ｔ１´よりも電極構造体７０Ｇの端部側の四角形の対向領域である領域７１ｑを、方向Ｆ２１（図面視で見えている電極構造体７０Ｇの手前側）の方に曲げる。
【０１５４】
このように、谷折り線Ｔ１´を谷にして折り曲げると、図１８（ｃ）に図示した形状となる。つまり、電極構造体７０Ｇの表側に四角形の領域７１ｑが折られる。これにより、電極群７０の次の層が形成される。
【０１５５】
図１８（ｃ）は、上述の手法と同様に、山折り線Ｙ２´と谷折り線Ｔ２´を規定している様子を示している。
以下、すでに説明した手法と同様に、規定した山折り線で山折りし、規定した谷折り線で谷折りを繰り返し行い、図１８（ｄ）に示す電極群７０を構成する。
【０１５６】
図１８（ｄ）に示す電極群は、その平面形状７０ｂが円形に近い多角形形状になっているが、頂角γ´の角度を変えることでその形状をさらに変形することもできる。
このように、各層における対向形状７０ａ（斜線部）を四角形としても、その面積が、電極群７０の平面形状よりも小さい面積となること、螺旋状に折り畳むことで積層する層ごとに折り曲げ部分が少しずつずれることも、すでに説明した実施形態と同様である。
【０１５７】
以上説明した第３実施形態では、折り畳んでなる電極群の各層における対向形状を自由に選択し、螺旋状に折り畳む角度（頂角γ）も自由に選択できる。これにより折り畳み終った電極群はさまざまな形状の多角形となる。そして、どのような形状の多角形にするかは、自由である。
【０１５８】
以上述べたように、本発明の扁平型二次電池は、電極板を折り畳むことで電極群を構成する従来の技術に比して、脆弱な部分である連結部を無くしたので電極断裂の課題が減少した。電極板には余剰領域を設けることで、目印として使用できたり、製造しやすくすることができる。また、電極板の一部として用いれば、正極板と負極板との対向面積も増やすことができる。このような本発明の扁平型二次電池は、従来の技術よりも衝撃に強く、蓄電容量も大きくすることができる。
【０１５９】
そして、電極板を螺旋状に折り畳むことで、積層する層ごとに折り曲げ部分が少しずつずれるようになり、折り曲げ部分のすべてが垂直方向に重ならなくなり、折り畳み方向に薄い電極群を形成できる。
【０１６０】
なお、以上説明した実施形態はこれに限定されるものではなく本発明の要旨を満たすものであれば任意に変更することができることはいうまでもない。例えば、余剰領域の平面的な形状を三角形ではなく四角形などにしてもよい。
【０１６１】
また、電極群を収納する電池ケースの形状に合わせて、螺旋状に折り畳むときの角度（頂角γ）などを、折り畳む途中で変えてもよい。そうすると、折り畳み終った電極群の形状は異形の多角形にすることもできる。
【産業上の利用可能性】
【０１６２】
この発明によれば、電極構造上の脆弱な部分がない電極群を構成できるので、可搬型の電子機器のような不測の衝撃を受けるような用途に用いられる二次電池に好適である。
【符号の説明】
【０１６３】
１  扁平型二次電池
１０  外装ケース
１５  電池ケース
２０  ガスケット
３０  封口ケース
４０、５０、６０、６５、７０  電極群
４０ａ、５０ａ、６０ａ、６５ａ、７０ａ  対向形状
４０ｂ、５０ｂ、６０ｂ、６５ｂ、７０ｂ  平面形状
４１、５１、６１  正極板
４３ｆ、５１ｆ、５３ｆ  余剰領域
４３、５３、６３  負極板
α、γ、δ  頂角
β  角度
Ｆ１〜Ｆ２１  折り方向
Ｌ１〜Ｌ９  折り曲げ線
Ｙ１〜Ｙ５  山折り線
Ｔ１〜Ｔ４  谷折り線
【図１】
2015173063.tif 000003
【図２】
2015173063.tif 000004
【図３】
2015173063.tif 000005
【図４】
2015173063.tif 000006
【図５】
2015173063.tif 000007
【図６】
2015173063.tif 000008
【図７】
2015173063.tif 000009
【図８】
2015173063.tif 000010
【図９】
2015173063.tif 000011
【図１０】
2015173063.tif 000012
【図１１】
2015173063.tif 000013
【図１２】
2015173063.tif 000014
【図１３】
2015173063.tif 000015
【図１４】
2015173063.tif 000016
【図１５】
2015173063.tif 000017
【図１６】
2015173063.tif 000018
【図１７】
2015173063.tif 000019
【図１８】
2015173063.tif 000020
【図１９】
2015173063.tif 000021